(57)【特許請求の範囲】
【請求項１】
貯蔵庫本体の開口部の上縁に沿って配設されたレールには、前記開口部を開閉するスライド扉の上縁に設けられたハンガローラが装着されているとともに、
前記スライド扉の上縁には、前記ハンガローラよりも下方位置で、かつ前記貯蔵庫本体に対して接離する方向における前記ハンガローラよりも庫外側の位置において、前記貯蔵庫本体の開口部の上縁に沿って前記レールよりも庫外側の位置に形成されたガイド路を転動可能なガイドローラが設けられ、
前記ガイド路には、前記スライド扉が全閉位置にある場合に前記ガイドローラと対応して同ガイドローラを落とし込む凹部が設けられており、
全閉位置では、前記ガイドローラが前記凹部に落とし込まれることで前記スライド扉が前記貯蔵庫本体側に接近して同スライド扉の裏面を前記開口部の口縁に密着させ、
開放時には、前記ガイドローラが前記凹部から脱出して前記ガイド路に乗り上げることに伴い、前記スライド扉が前記貯蔵庫本体から離間する方向に移動した状態となって前記レールに沿って移動する構成としたことを特徴とする冷却貯蔵庫の扉装置。
【請求項２】
前記ハンガローラにおける前記レールに転動する周面が、前記貯蔵庫本体側の端縁に向けて次第に径が大きくなる傾斜面とされており、前記ガイドローラが前記凹部から脱出して前記ガイド路に乗り上げた場合には、前記ハンガローラの前記傾斜面が前記レールを上りつつ前記スライド扉が庫外側の斜め上方に移動する構成となっていることを特徴とする請求項１記載の冷却貯蔵庫の扉装置。
【請求項３】
前記スライド扉の上縁には、２個の前記ハンガローラがそれぞれブラケットで支持されて前記スライド扉の開閉方向に間隔を開けて設けられ、
前記両ブラケット間には補強部材が架け渡されているとともに、この補強部材に前記ガイドローラが支持されていることを特徴とする請求項１または請求項２記載の冷却貯蔵庫の扉装置。
【請求項４】
前記スライド扉の上縁には、２個の前記ハンガローラがそれぞれブラケットで支持されて前記スライド扉の開閉方向に間隔を開けて設けられており、各ブラケットに前記ガイドローラがそれぞれ設けられていることを特徴とする請求項１または請求項２記載の冷却貯蔵庫の扉装置。
【請求項５】
前記ハンガローラが前記レールから脱落することを防止するための脱落防止機構が具備されており、
この脱落防止機構は、前記ガイドローラを支持するべく前記スライド扉の上縁に設けられた支持部材に、前記貯蔵庫本体側に突出して前記レールの下面側に設けられた被突当部の下方に臨み、前記支持部材の上動時に前記被突当部に突き当て可能な突当板が固定され、かつ前記突当板の前記支持部材に対する固定位置が、前記被突当部における前記突当部の突き当て位置よりも上方に設定されることにより構成されていることを特徴とする請求項１ないし請求項４のいずれか一項に記載の冷却貯蔵庫の扉装置。
【発明の詳細な説明】
【技術分野】
【０００１】
本発明は、プレハブ式冷蔵庫等の冷却貯蔵庫に装備される扉装置に関する。
【背景技術】
【０００２】
従来、プレハブ式冷蔵庫の扉装置として、特許文献１に記載されたものが知られている。このものは、貯蔵庫本体の前面等に出入口用の開口部が形成されてこの開口部の上縁に沿って水平なレールが配設され、このレールにスライド扉の上縁に設けられた一対の車輪が転動可能に装着されるとともに、レールには、各車輪を落とし込むことが可能で貯蔵庫本体側に接近するように斜め下向きに凹み形成された凹部が設けられた構造である。そしてスライド扉は、両車輪をレール上で転動させつつ開閉され、全閉されたときには、車輪が対応する凹部に落とし込まれることでスライド扉が貯蔵庫本体側に接近して、スライド扉の内面の周縁部を開口部の口縁に密着させることで密閉し、全閉状態から開放するときには、車輪を対応する凹部から脱出させつつスライド扉を貯蔵庫本体から離間させた状態としてレールに沿って移動させるようになっている。
【先行技術文献】
【特許文献】
【０００３】
【特許文献１】実公平２−１８４７０号公報
【発明の概要】
【発明が解決しようとする課題】
【０００４】
上記従来技術では、スライド扉を全閉位置から開ける場合には、車輪を対応する凹部から脱出させつつ、言い換えると車輪が落とし込まれた分だけスライド扉を持ち上げるようにして引き操作する必要があり、特にこの種のプレハブ式冷蔵庫のスライド扉は相応に重いことから、開放時において大きな操作力が必要になるという問題があった。  
本発明は上記のような事情に基づいて完成されたものであって、その目的は、スライド扉を開放する際の操作性を向上させるところにある。
【課題を解決するための手段】
【０００５】
本発明の冷却貯蔵庫の扉装置は、貯蔵庫本体の開口部の上縁に沿って配設されたレールには、前記開口部を開閉するスライド扉の上縁に設けられたハンガローラが装着されているとともに、前記スライド扉の上縁には、前記ハンガローラよりも下方位置で、かつ前記貯蔵庫本体に対して接離する方向における前記ハンガローラよりも庫外側の位置において、前記貯蔵庫本体の開口部の上縁に沿って形成されたガイド路を転動可能なガイドローラが設けられ、前記ガイド路には、前記スライド扉が全閉位置にある場合に前記ガイドローラと対応して同ガイドローラを落とし込む凹部が設けられており、全閉位置では、前記ガイドローラが前記凹部に落とし込まれることで前記スライド扉が前記貯蔵庫本体側に接近して同スライド扉の裏面を前記開口部の口縁に密着させ、開放時には、前記ガイドローラが前記凹部から脱出して前記ガイド路に乗り上げることに伴い、前記スライド扉が前記貯蔵庫本体から離間する方向に移動した状態となって前記レールに沿って移動する構成としたところに特徴を有する。
【０００６】
スライド扉が全閉されたときには、ガイドローラがガイド路の凹部に落とし込まれることにより、スライド扉が重量バランスで貯蔵庫本体側に接近して開口部の口縁が密閉される。スライド扉を全閉状態から開放する際には、スライド扉を手前側に引きつつ開放方向に移動させると、ガイドローラが凹部から脱出してガイド路上に乗り上げ、それに伴いスライド扉が貯蔵庫本体から離間する方向に移動し、引き続いてレールに沿って移動して開放される。  
スライド扉の開放時には、垂直方向に扉を引き上げる必要がなく、扉を斜め手前に引き操作すればよく、言い換えると力の入れやすい形態で開放操作を行うことができて、操作性を向上させることができる。
【０００７】
ここで、ガイドローラを配するに当たり、その位置がハンガローラよりも貯蔵庫本体に接近した位置にあると、ガイドローラがガイド路に乗り上げてスライド扉を庫外側に押す力が作用した場合にも、引っ掛かり等を受けてハンガローラを旨く押し出すことができず、ハンガローラはレール上で軸方向の前方に移動することなく、むしろそこを中心としてスライド扉の下端側のみを前方に押し出す力に変換され、言い換えると、スライド扉を開放する際の力がスライド扉を貯蔵庫本体から離間する方向に移動させる力へと旨く変換されず、結果大きな開放力が必要となる。また、スライド扉の下端側を前方に押し出す力が発生するために、同スライド扉の重量等との関係からハンガローラの支持部材等に負荷が掛かり、支持部材等を変形させるおそれもあった。  
それに対して本発明では、ガイドローラがハンガローラよりも庫外側に配されているから、ガイドローラがガイド路に乗り上げてスライド扉を庫外側に押す力が作用した場合に、ハンガローラに対しては庫外側に引く力が作用し、そのためハンガローラはレール上を軸方向の前方に引きずられるようにして比較的容易に移動し、言い換えると、スライド扉は垂直姿勢を保ったままで貯蔵庫本体から離間する方向に移動することとなって、スライド扉のスムーズな開閉動作が担保される。
【０００８】
また、以下のような構成としてもよい。  
（１）前記ハンガローラにおける前記レールに転動する周面が、前記貯蔵庫本体側の端縁に向けて次第に径が大きくなる傾斜面とされており、前記ガイドローラが前記凹部から脱出して前記ガイド路に乗り上げた場合には、前記ハンガローラの前記傾斜面が前記レールを上りつつ前記スライド扉が庫外側の斜め上方に移動する構成となっている。  
スライド扉が全閉されたときには、ガイドローラがガイド路の凹部に落とし込まれることにより、スライド扉が自重により斜め方向に貯蔵庫本体側に接近して開口部の口縁が密閉される。スライド扉を全閉状態から開放する際には、スライド扉を手前側に引きつつ開放方向に移動させると、ガイドローラが凹部から脱出してガイド路上に乗り上げ、それに伴い、ハンガローラの傾斜面がレールを上りつつスライド扉が庫外側の斜め上方に移動して貯蔵庫本体から離間し、引き続いてレールに沿って移動して開放される。
【０００９】
（２）前記スライド扉の上縁には、２個の前記ハンガローラがそれぞれブラケットで支持されて前記スライド扉の開閉方向に間隔を開けて設けられ、前記両ブラケット間には補強部材が架け渡されているとともに、この補強部材に前記ガイドローラが支持されている。  
例えばスライド扉を全閉位置や全開位置で停止させる場合に、レールの両端にストッパを設けて、ハンガローラを支持した各ブラケットを対応するストッパに当てることが考えられるが、両ブラケット間に補強部材が架け渡されていることから、ブラケットがストッパに突き当たった場合を考慮した強度が確保される。  
また、ガイドローラをスライド扉の上縁に設けるに当たり、例えば同上縁から比較的高く離れた位置に設けようとすると、ガイドローラを支持する支持部材に高強度のものを準備する必要がある。その点この構成では、ハンガローラを支持するブラケットに架け渡されて全体として高強度に形成された補強部材にガイドローラを支持する構造としたから、単品での高強度の支持部材を備える必要がない。結果、コスト低減を図ることができる。
【００１０】
（３）前記スライド扉の上縁には、２個の前記ハンガローラがそれぞれブラケットで支持されて前記スライド扉の開閉方向に間隔を開けて設けられており、各ブラケットに前記ガイドローラがそれぞれ設けられている。  
ハンガローラがスライド扉の開閉方向の前後において一対設けられ、例えばその間に１個のガイドローラが配された構造であると、スライド扉は縦軸回りに振れつつレールに沿って移動する可能性があり、走行が不安定となることが懸念される。  
その点この構成では、ガイドローラを、スライド扉の開閉方向の前後２箇所に設けたから、レールに沿って移動する場合にスライド扉が縦軸回りに振れるおそれがなく、安定した走行を期することができる。
【００１１】
（４）前記ハンガローラが前記レールから脱落することを防止するための脱落防止機構が具備されており、この脱落防止機構は、前記ガイドローラを支持するべく前記スライド扉の上縁に設けられた支持部材に、前記貯蔵庫本体側に突出して前記レールの下面側に設けられた被突当部の下方に臨み、前記支持部材の上動時に前記被突当部に突き当て可能な突当板が固定され、かつ前記突当板の前記支持部材に対する固定位置が、前記被突当部における前記突当部の突き当て位置よりも上方に設定されることにより構成されている。
【００１２】
例えば、スライド扉が開放位置にある状態で必要以上に上方に移動しようとすると、ガイドローラの支持部材に固定された突当板がレールの下面の被突当部に突き当たることで、支持部材におけるハンガローラの支持端側が、突当板の固定位置を中心として貯蔵庫本体側に回動し、ハンガローラが強制的にレール上に戻される。これにより、ハンガローラがレールからその庫外側に脱落することが防止される。
【発明の効果】
【００１３】
本発明によれば、スライド扉を全閉状態から開放する際の操作性を向上させることができ、かつスライド扉のスムーズな開閉動作もより確実に担保することができる。
【図面の簡単な説明】
【００１４】
【図１】本発明の実施形態１に係るプレハブ式冷蔵庫の閉扉状態の正面図
【図２】その一部切欠側断面図
【図３】スライド扉の全閉状態の部分断面図
【図４】スライド扉の開放状態の部分断面図
【図５】スライド扉の全閉状態の部分平面図
【図６】スライド扉の全開状態の部分平面図
【図７】スライド扉の全閉状態の部分正面図
【図８】スライド扉の全開状態の部分正面図
【図９】補強フレームの斜視図
【図１０】ガイド部材の一部切欠正面図
【図１１】同一部切欠平面図
【図１２】図４の部分拡大図
【図１３】本発明の実施形態２に係るガイドローラの装着構造を示す一部切欠側面図
【図１４】支持ブラケットの斜視図
【図１５】スライド扉の全閉状態の部分正面図
【図１６】スライド扉の全開状態の部分正面図
【図１７】スライド扉の全閉状態の部分平面図
【図１８】スライド扉の全開状態の部分平面図
【図１９】スライド扉の全閉または全開状態の部分断面図
【図２０】スライド扉の開閉動作時の部分断面図
【発明を実施するための形態】
【００１５】
以下、本発明の実施形態を添付図面に基づいて説明する。  
＜実施形態１＞
本発明の実施形態１を図１ないし図１２によって説明する。この実施形態では、プレハブ式冷蔵庫を例示している。  
図１において、符号１０は貯蔵庫本体であって、複数枚の断熱パネルを組み付けた方形の断熱箱体から構成されている。貯蔵庫本体１０の前面における正面から見た左半分の領域には、出入口となる縦長の開口部１１が形成されているとともに、この開口部１１を開閉する断熱性のスライド扉１５が配設されている。このスライド扉１５の表面における左側縁部には、同スライド扉１５を開閉操作するための把手１６が設けられており、またスライド扉１５の裏面の周縁部には、図２に示すように、上記した開口部１１の口縁部に当接して同開口部１１を密閉するためのパッキン１７が装着されている。
【００１６】
続いて、スライド扉１５の開閉構造を説明する。  
貯蔵庫本体１０の前面には、スライド扉１５を走行案内するためのレール２０が、開口部１１の上縁に沿った位置で、かつ貯蔵庫本体１０の幅方向の中央部における開口部１１の間口の２倍強の長さ領域に亘って水平姿勢で装着されている。レール２０は、アルミニウムの中空押出成形品であって、図３に示すように、断面略直角三角形をなす基部２１の突出端側に、レール部２２が設けられた構造である。レール２０は、基部２１における垂直な背面の上下両縁からそれぞれ突設された取付板２４が貯蔵庫本体１０の前面に当てられ、長さ方向に間隔を開けた複数箇所が通しボルト２５とねじ２６で締結されて固定されている。  
レール２０における基部２１の前方への突出端、言い換えると前下がりの傾斜面の裾の部分には、所定厚さを持った縦長の中空体からなるレール部２２が立ち上がり形成されている。このレール部２２の上面２２Ａは、断面半円形状に形成されている。
【００１７】
スライド扉１５の上縁には、左右一対のハンガローラ３０が配されている。そのため、スライド扉１５の上面の表面側の領域における左右両端に寄った位置には、チャンネル材を縦向きとしたような形状になる支持ブラケット３６がねじ止めされて立設されており、各支持ブラケット３６の上端部の裏面側に、ハンガローラ３０が水平軸３１を中心とした回転自由に支持されている。
【００１８】
ハンガローラ３０は、図１２に詳細に示すように、上記したレール部２２の２倍強の厚さを持った厚肉の円盤状で、かつその外周面には、底に丸みを付けた略Ｖ字形をなす溝３４が形成されている。言い換えると、ハンガローラ３０の外周面には、厚さ方向のほぼ中央部から両端面に向けて次第に拡径する傾斜面が形成され、このうち貯蔵庫本体１０側の傾斜面３２の方が反対側の傾斜面よりも裾が長く形成されていて、この長い方の傾斜面３２が、上記したレール部２２の上面２２Ａに摺接するようになっている。  
また、傾斜面３２の裾の部分には、径方向に所定寸法張り出した規制部３３が全周に亘って形成されている。この規制部３３は、後記するように、レール部２２の上端部における貯蔵庫本体１０と対向する面（裏面）に係止し、ハンガローラ３０がレール部２２の表側に越えることを規制するように機能する。
【００１９】
このような左右のハンガローラ３０が、上記したレール部２２に対して吊り下げ状態で載せられ、詳しくは後記するように、スライド扉１５は、両ハンガローラ３０をレール部２２に沿って転動させつつ、図１に示すように、貯蔵庫本体１０の開口部１１を全閉する全閉位置と、図８に示すように、開口部１１を全開する全開位置との間で左右に往復移動し得るようになっている。  
なお、この間、図１及び図２に示すように、スライド扉１５の下縁に設けられた下部ガイド１８が、設置面に設けられたローラ１９を挟んでいることにより、スライド扉１５の下端側がばたつくことなく、スムーズに開閉されるようになっている。
【００２０】
左右の支持ブラケット３６の間には、補強フレーム４０が差し渡されている。この補強フレーム４０は、図９にも示すように、両支持ブラケット３６の間隔に等しい長さを持ったアングル材４１と、同アングル材４１よりも長いＺ型材４２とが一体化されて形成されており、全体としては、両支持ブラケット３６の間隔に等しい長さを持った角筒部４３を有し、この角筒部４３の上面の両端から縦取付板４４が立ち上がり形成され、また同角筒部４３の背面の両端から、横取付板４５が延出形成された形状となっている。なお、角筒部４３の背面から両横取付板４５に亘る下縁には、裏側に向けて水平姿勢で突出した突当板４６が形成されている。  
上記した補強フレーム４０は、支持ブラケット３６の略中央高さ位置において、各横取付板４５を各支持ブラケット３６の裏面に当てつつ、角筒部４３が両支持ブラケット３６の間に嵌められ、各横取付板４５が対応する支持ブラケット３６の裏面にねじ４７（図１２）で固定されるとともに、各縦取付板４４が対応する支持ブラケット３６の側面にねじ４８（図２）で固定されている。
【００２１】
上記した補強フレーム４０の角筒部４３の上面には、その長さ方向の中心でかつ後縁寄りの位置に垂直軸４９が立てられており、この垂直軸４９に、ガイドローラ５０が回転自由に支持されている。  
一方、上記したレール２０の突出端には、レール部２２の下方において、断面方形をなす中空状の取付部２７が形成されており、この取付部２７の前面が配設面２８とされて同配設面２８に沿ってガイド部材５２が配設されている。このガイド部材５２は、図１０及び図１１にも示すように、レール２０の半分強の長さを持ったアングル材５３から構成されており、このアングル材５３の垂直板５４の表面が、ガイドローラ５０が転動する水平方向に細長いガイド路５５となっている。裏側に突出した水平板が取付板５６となっている。
【００２２】
ガイド部材５２に設けられたガイド路５５の縦幅は、ガイドローラ５０の厚さよりも少し大きく設定されている。ガイド路５５を構成する垂直板５４の左端からは、同垂直板５４よりも少し縦幅の小さい帯状片５７が延出形成されている。この帯状片５７は、ガイドローラ５０の直径の約２倍の長さを持ち、その基端側（右側）の半分が、裏側に向けて鈍角に曲げられたのち、残りの先端側（左側）がガイド路５５から裏側に所定寸法引っ込んだ位置においてガイド路５５と平行姿勢を採っており、これにより、ガイドローラ５０を落とし込み可能な凹部６０が形成されている。言い換えると、この凹部６０は、ガイド路５５から所定寸法引っ込んだ奥面６１Ａと、同奥面６１Ａとガイド路５５の左端を結ぶ緩傾斜の傾斜面６１Ｂとから構成されている。
【００２３】
上記のような構造のガイド部材５２は、凹部６０を含むガイド路５５が、レール２０の取付部２７の配設面２８に沿って配された状態で、取付板５６が取付部２７の下面である取付面２９に当てられ、長さ方向に間隔を開けた複数箇所をねじ２９Ａで止めることによって固定されている。このとき、ガイド路５５の左端に連設された凹部６０は、図７に示すように、スライド扉１５が全閉位置にある場合のガイドローラ５０の裏側に位置し、また、ガイド路５５の右端５５Ｒは、図８に示すように、スライド扉１５が全開位置にある場合のガイドローラ５０の位置よりも右側に所定寸法突出した位置に来るようになっている。  
なお、レール２０の配設面２８における左端部と右端部とには、それぞれストッパ６３が設けられており、左側の支持ブラケット３６が左側のストッパ６３に当接することでスライド扉１５を全閉位置で、また右側の支持ブラケット３６が右側のストッパ６３に当接することでスライド扉１５を全開位置で、それぞれ移動停止させるようになっている。
【００２４】
そして、スライド扉１５が全閉位置にあるときには、ガイドローラ５０がガイド路５５の左端の凹部６０と対応して同凹部６０に落ち込み、このとき図３に示すように、レール部２２の上面２２Ａがハンガローラ３０の傾斜面３２を頂上部まで昇りつつ、両ハンガローラ３０が共に貯蔵庫本体１０側に接近するように斜め下向き移動し、これに伴いスライド扉１５が、同じく貯蔵庫本体１０側に接近するように斜め下向きに所定寸法移動し、同スライド扉１５の裏面に装着されたパッキン１７が、開口部１１の口縁部に弾縮しつつ押し付けられる設定となっている。  
一方、ガイドローラ５０が凹部６０を脱出してガイド路５５上に移動した場合は、スライド扉１５が手前に押し出される力を受け、図４及び図１２に示すように、レール部２２の上面２２Ａがハンガローラ３０の傾斜面３２を頂上部から裾部まで降りつつ、両ハンガローラ３０が共に貯蔵庫本体１０から離間するように斜め上向きに移動し、これに伴いスライド扉１５も貯蔵庫本体１０から離れるように斜め上向きに所定寸法移動し、スライド扉１５の裏面のパッキン１７が、貯蔵庫本体１０の前面から所定寸法離間するようになっている。
【００２５】
また、ハンガローラ３０の脱落防止機構Ａが具備されている。詳細には、レール２０の取付部２７の下面の取付面２９には、脱落防止部材６５が取り付けられている。この脱落防止部材６５は、ガイド部材５２とほぼ同じ全長を持つ帯材を幅方向の中央で鈍角に折曲して緩やかな山形断面に形成され、一方の傾斜面が被突当板６６に、他方の傾斜面が取付板６７となっている。  
このような脱落防止部材６５の取付板６７が、ガイド部材５２の取付板５６の下面に重ねられて、上記のねじ２９Ａで共締めされて固定されている。そして、被突当板６６は、やや先下がりの傾斜姿勢で前方に突出し、その突出端はガイド路５５の表面より少し前方に至っている。  
スライド扉１５側との位置関係については、同スライド扉１５が開放位置にある場合において、図１２に示すように、被突当板６６の突出端は、補強フレーム４０の支持ブラケット３６に対する固定位置Ｘに対して裏側の斜め下方に位置し、併せて、補強フレーム４０の突当板４６の小寸法上方位置まで進出している。
【００２６】
本実施形態は上記のような構造であって、スライド扉１５が図１に示す全閉位置にあるときには、ガイドローラ５０がガイド路５５に設けられた凹部６０に落とし込まれることにより、図３、図５及び図７に示すように、スライド扉１５は自重により貯蔵庫本体１０側に接近するように斜め下方に移動し、裏面のパッキン１７が貯蔵庫本体１０の開口部１１の口縁部に密着して同開口部１１が密閉される。ハンガローラ３０については、傾斜面３２の頂上部がレール部２２に載った状態にある。  
スライド扉１５を全閉状態から開放する際には、把手１６を持ってスライド扉１５を手前側に引きつつ図１の右方向に移動させると、ガイドローラ５０が凹部６０の傾斜面６１Ｂを昇ってガイド路５５上に乗り上げ、それに伴い、図４に示すように、ハンガローラ３０の傾斜面３２がレール部２２を上って同傾斜面３２の裾部がレール部２２に載った状態となりつつ、スライド扉１５が庫外側の斜め上方に移動し、スライド扉１５の裏面のパッキン１７が全周に亘って貯蔵庫本体１０の前面から離間する。そののちスライド扉１５は、両ハンガローラ３０の傾斜面３２の裾部がレール部２２を転動しつつ、貯蔵庫本体１０の前面との間で摩擦抵抗を受けることがない状態でスムーズに開放される。
【００２７】
ここで例えば、開扉時においてスライド扉１５を手前側に強く引くと、ハンガローラ３０の傾斜面３２がレール部２２を勢い良く昇ってレール部２２を越えることが懸念されるが、本実施形態では、ハンガローラ３０の傾斜面３２の裾部に規制部３３が設けられているから、ハンガローラ３０の傾斜面３２の裾部がレール部２２まで昇る、すなわちレール部２２が傾斜面３２の裾部まで降ると、図１２に示すように、レール部２２の上端部の裏面が規制部３３に当たることでそれ以上降ることが規制され、ハンガローラ３０がレール部２２を越えて貯蔵庫本体１０とは反対側に脱落することが防止される。  
また、ハンガローラ３０の傾斜面３２がレール部２２上を転動して走行する場合に、規制部３３がレール部２２の上端部の裏面に当たって案内されつつ転動するようになり、ハンガローラ３０ひいてはスライド扉１５が安定した姿勢を取ってスムーズに走行する。
【００２８】
スライド扉１５が全開位置まで移動すると、図６及び図８に示すように、右側の支持ブラケット３６がストッパ６３に当たって停止されるが、左右の支持ブラケット３６の間には補強フレーム４０が架け渡されて補強されているから、ストッパ６３に当たった場合の強度は確保される。なお、全閉位置に戻って左側の支持ブラケット３６にストッパ６３に当たって停止される場合の同左側の支持ブラケット３６の強度も同様に確保される。
【００２９】
また、上記のようにスライド扉１５が全開位置まで移動してストッパ６３に当たって停止した場合等、衝撃でスライド扉１５が飛び上がってハンガローラ３０がレール部２２から外れることが懸念されるが、脱落防止機構Ａによって防止される。  
図１２に示すように、スライド扉１５が開放位置にある状態で必要以上に上方に移動しようとすると、ガイドローラ５０を支持した補強フレーム４０に固定された突当板４６が、同図の矢線ａに示すように上動して、レール２０の取付部２７の下面に設けられた脱落防止部材６５の被突当板６６に突き当たり、支持ブラケット３６におけるハンガローラ３０を支持した上部側が、突当板４６の固定位置Ｘを中心として貯蔵庫本体１０側に向けて同図の矢線ｂに示すように時計回り方向に回動し、ハンガローラ３０が強制的にレール部２２上に戻される。これにより、ハンガローラ３０がレール２０からその前方に脱落することが防止される。
【００３０】
以上のように本実施形態によれば、スライド扉１５を全閉位置から開放する場合に、スライド扉１５を垂直方向に引き上げる必要がなく、スライド扉１５を斜め手前に引き操作すれば良くよく、言い換えると力の入れやすい形態で開放操作を行うことができ、操作性を向上させることができる。  
特に本実施形態では、ガイドローラ５０をハンガローラ３０よりも庫外側に配した構造としたことにより、以下のような利点が得られる。
【００３１】
例えばガイドローラを配するに当たり、その位置がハンガローラ３０よりも貯蔵庫本体１０に接近した位置にあると、ガイドローラがガイド路に乗り上げてスライド扉１５を庫外側に押す力が作用した場合にも、引っ掛かり等を受けてハンガローラ３０を旨く押し上げることができず、ハンガローラ３０はレール部２２上で軸方向の前方に移動することなく、むしろそこを中心としてスライド扉１５の下端側が前方に押し出され、引き続いて同スライド扉１５の重量等により、ハンガローラ３０の支持ブラケット３６等を変形させつつスライド扉１５が垂直姿勢に戻り、結果スライド扉１５の裏面が貯蔵庫本体１０の前面に当たった状態となることが懸念される。
【００３２】
それに対して本実施形態では、上記のようにガイドローラ５０がハンガローラ３０よりも庫外側の近い位置に配されているから、ガイドローラ５０がガイド路５５に乗り上げてスライド扉１５を庫外側に押す力が作用した場合に、ハンガローラ３０には比較的大きな前方への引く力が作用し、ハンガローラ３０は、図４の矢線ｃに示すように、傾斜面３２がレール部２２上を引きずられながら前方の斜め上方に確実に移動し、言い換えると、スライド扉１５は垂直姿勢を保ったままで貯蔵庫本体１０から離間する方向に移動することとなって、その後のスライド扉１５のスムーズな開閉動作が担保される。
【００３３】
ガイドローラ５０の配設部分の構造について、ハンガローラ３０を支持した支持ブラケット３６の間に補強フレーム４０が架け渡され、この補強フレーム４０にガイドローラ５０が軸支された構造となっている。  
スライド扉１５を全閉位置と全開位置で停止させる場合には、左右の支持ブラケット３６を、それぞれ対応するストッパ６３に当てて停止させるが、両支持ブラケット３６間には補強フレーム４０が架け渡されているから、各支持ブラケット３６にはストッパ６３に突き当たった場合に抗した強度が確保される。  
また、ガイドローラ５０をスライド扉１５の上縁に設けるに当たり、例えば同上縁から比較的高く離れた位置に設けようとすると、ガイドローラ５０を支持する支持部材に高強度のものを準備する必要がある。それに対して、この実施形態では、ハンガローラ３０を支持する支持ブラケット３６に架け渡されて全体として高強度に形成された補強フレーム４０にガイドローラ５０を支持する構造となっているから、単品での高強度の支持部材を備える必要がない。結果、コスト低減を図ることができる。
【００３４】
また、スライド扉１５が全開位置まで移動してストッパ６３に当たって停止した場合等、衝撃でスライド扉１５が飛び上がってハンガローラ３０がレール部２２から外れることが懸念されるが、脱落防止機構Ａによってそれが防止される。具体的には、図１２に示すように、スライド扉１５が飛び上がった場合に、突当板４６が被突当板６６に突き当たることで、支持ブラケット３６の上部側が突当板４６の固定位置Ｘを中心として時計回り方向に回動し、ハンガローラ３０が強制的にレール部２２上に戻されることによって、ハンガローラ３０がレール２０からその前方に脱落することが防止される。
【００３５】
＜実施形態２＞
本発明の実施形態２を図１３ないし図２０によって説明する。この実施形態では、ガイドローラ５０が左右一対備えられており、かつ各ガイドローラ５０は、左右のハンガローラ３０の支持ブラケット７０にそれぞれ装着されている。  
支持ブラケット７０は、図１４に示すように、基板７１Ａの両側縁に側板７１Ｂを直角曲げして設けたチャンネル材を立てたような形状であって、基板７１Ａと一方の側板７１Ｂの下縁には取付板７２Ａ，７２Ｂがそれぞれ外向きに直角曲げして形成されているとともに、他方の側板７１Ｂから垂下して取付板７２Ｃが延出形成されている。なお、同図に示す支持ブラケット７０は、右側の支持ブラケット７０であって、左側の支持ブラケット７０では、取付板７２Ｂ，７２Ｃが逆の側板７１Ｂに設けられた形状となっている。
【００３６】
このような左右の支持ブラケット７０が、図１５及び図１９に示すように、スライド扉１５の上面の表面側の領域における左右両端に立てられ、各取付板７２Ａ〜７２Ｃがねじ止めされることで固定されている。  
支持ブラケット７０の基板７１Ａには、略中央高さ位置に窓孔７３が開口されているとともに、同窓孔７３の上縁から表側に切り起こし形成された支持板７４の基端側に、軸受孔７５が開口されている。
【００３７】
ガイドローラ５０は、図１３に示すように、Ｌ型の基台７７に立てられた垂直軸４９回りの回転自由に支持されてアッセンブリ化されている。そして、ガイドローラ５０の半分強を窓孔７３に嵌め、また垂直軸４９の上端を軸受孔７５に挿通させた状態において、基台７７が、基板７１Ａの表面における窓孔７３の下方位置に当てられてねじ７８（図１５）で固定されている。これによりガイドローラ５０は、支持ブラケット７０に対し、後記するガイド路８０に摺接可能な高さ位置で支持されている。  
なお以下では、左右のガイドローラ５０を区別して説明する場合は、左側のガイドローラ５０Ｌ、右側のガイドローラ５０Ｒとして説明する。
【００３８】
ガイド路８０は、上記実施形態１と同様に、レール２０の取付部２７の配設面２８に沿って配されているが、図１５、図１６に示すように、同配設面２８のほぼ全長に亘る長さを有している。このガイド路８０の左右両端と中央部の３箇所に、ガイドローラ５０を落とし込み可能とした凹部８１Ｌ，８１Ｍ，８１Ｒが、両ガイドローラ５０Ｌ，５０Ｒの間隔に等しい間隔を開けて形成されている。  
そして、図１５に示すように、スライド扉１５が全閉位置にあるときには、左右のガイドローラ５０Ｌ，５０Ｒは、左凹部８１Ｌと中央凹部８１Ｍにそれぞれ対応し、図１６に示すように全開位置にあるときには、左右のガイドローラ５０Ｌ，５０Ｒは、中央凹部８１Ｍと右凹部８１Ｒにそれぞれ対応するようになっている。  
その他の構造については上記実施形態１と同様であって、同一機能を有する部材、部位については実施形態１と同一符号を付すことによって、重複した説明は省略しまたは簡略化する。
【００３９】
本実施形態の作用は以下のようである。スライド扉１５が図１５に示す全閉位置にあるときには、左右のガイドローラ５０Ｌ，５０Ｒがガイド路８０に設けられた左凹部８１Ｌと中央凹部８１Ｍに落とし込まれることにより、図１９に示すように、スライド扉１５が斜め下方に移動し、パッキン１７により開口部１１の口縁部を密閉したに密着して同開口部１１が密閉される。  
スライド扉１５を全閉状態から開放する際には、把手１６を持ってスライド扉１５を手前側に引きつつ図１５の右方向に移動させると、左右のガイドローラ５０Ｌ，５０Ｒが対応する左凹部８１Ｌと中央凹部８１Ｍとを脱出してガイド路８０上に乗り上げ、それに伴い、図２０に示すように、ハンガローラ３０の傾斜面３２がレール部２２を上りつつスライド扉１５が庫外側の斜め上方に移動し、裏面のパッキン１７が貯蔵庫本体１０の前面から離間した状態となる。そののちスライド扉１５は、両ハンガローラ３０の傾斜面３２の裾部がレール部２２を転動しつつ、貯蔵庫本体１０の前面との間で摩擦抵抗を受けることがない状態でスムーズに開放される。
【００４０】
図１６及び図１８に示す全開位置に至ると、左右のガイドローラ５０Ｌ，５０Ｒがガイド路８０の中央凹部８１Ｍと右凹部８１Ｒに落とし込まれ、スライド扉１５が貯蔵庫本体１０側に向けて斜め下方に移動し、貯蔵庫本体１０の前面に当接した状態に保持される。
全開位置からスライド扉１５を閉鎖する場合は、把手１６を持ってスライド扉１５を手前側に引きつつ図１６の左方向に移動させると、左右のガイドローラ５０Ｌ，５０Ｒが対応する中央凹部８１Ｍと右凹部８１Ｒを脱出してガイド路８０上に乗り上げて、同様にスライド扉１５が庫外側の斜め上方に移動して貯蔵庫本体１０の前面から離間し、両ハンガローラ３０の傾斜面３２の裾部がレール部２２を転動しつつ、スムーズに開放される。
【００４１】
上記実施形態１では、ハンガローラ３０が左右一対設けられているのに対して、ガイドローラ５０がその間の位置において１個のみ設けられた構造であるため、スライド扉１５はガイドローラ５０の配設位置を中心とした縦軸回りに振れつつレール部２２に沿って移動する可能性がある。  
それに対して実施形態２では、ガイドローラ５０を、スライド扉１５の左右両端の２箇所に設けたから、レール部２２に沿って移動する場合にスライド扉１５が縦軸回りに振れるおそれがなく、安定した走行を期することができる。  
しかも両ガイドローラ５０Ｌ，５０Ｒは、ハンガローラ５０の支持ブラケット７０に兼用して支持するようにしたから、構造が簡略化される。
【００４２】
＜他の実施形態＞
本発明は上記記述及び図面によって説明した実施形態に限定されるものではなく、例えば次のような実施形態も本発明の技術的範囲に含まれる。  
（１）上記実施形態では、ハンガローラの周面が傾斜面となっていて、ガイドローラがガイド路に乗り上げてスライド扉に対して庫外側への押圧力が作用した場合に、ハンガローラがレール部上を庫外側の斜め上方に昇りつつスライド扉が斜め上方に移動する形式のものを例示したが、ハンガローラの周面が軸線と平行な面となっている等で、庫外側への押圧力が作用した場合において、ハンガローラがレール部上を単に庫外側に移動し、すなわちスライド扉が上動を伴うことなく単に庫外側に移動する形式のものにも同様に適用することができる。  
（２）実施形態１において、ガイドローラは、ハンガローラの支持ブラケット間に渡された補強フレームとは別の部材を用いて装備されていてもよい。
【００４３】
（３）実施形態１に例示された脱落防止機構はこれを除去してもよく、そのようなものも本発明の技術的範囲に含まれる。  
（４）逆に実施形態２について、実施形態１に例示されたような脱落防止機構を備えてもよい。  
（５）上記実施形態では、ガイド路をレールの前面に設けた場合を例示したが、開口部の上縁から前方に突出する別部材を設け、その部材にガイド路を配するようにしてもよい。  
（６）さらに本発明は、ハンガローラの支持ブラケットが基端部で弾性変形可能となっていて、ガイドローラがガイド路に乗り上げてスライド扉に対して庫外側への押圧力が作用した場合に、支持ブラケットの弾性変形とハンガローラのレール部上での傾動を伴いつつ、スライド扉を庫外側の斜め上方に移動させる形式のものにも、同様に適用することが可能である。
【符号の説明】
【００４４】
１０…貯蔵庫本体 １４…開口部  １５…スライド扉  １７…パッキン  ２２…レール部（レール）  ２２Ａ…（レール部２２の）上面  ３０…ハンガローラ  ３１…水平軸  ３２…傾斜面  ３６…支持ブラケット（ブラケット；支持部材）  ４０…補強フレーム（補強部材）  ４６…突当板  ４９…垂直軸  ５０，５０Ｌ，５０Ｒ…ガイドローラ  ５５…ガイド路  ６０…凹部  ６６…被突当板（被突当部）  ７０…支持ブラケット（ブラケット）  ８０…ガイド路  ８１Ｌ，８１Ｍ，８１Ｒ…凹部  Ａ…脱落防止機構  Ｘ…固定位置
【図１】
0005448688.tif 000002
【図２】
0005448688.tif 000003
【図３】
0005448688.tif 000004
【図４】
0005448688.tif 000005
【図５】
0005448688.tif 000006
【図６】
0005448688.tif 000007
【図７】
0005448688.tif 000008
【図８】
0005448688.tif 000009
【図９】
0005448688.tif 000010
【図１０】
0005448688.tif 000011
【図１１】
0005448688.tif 000012
【図１２】
0005448688.tif 000013
【図１３】
0005448688.tif 000014
【図１４】
0005448688.tif 000015
【図１５】
0005448688.tif 000016
【図１６】
0005448688.tif 000017
【図１７】
0005448688.tif 000018
【図１８】
0005448688.tif 000019
【図１９】
0005448688.tif 000020
【図２０】
0005448688.tif 000021